(57)【要約】【課題】デジタルカメラで撮影した被写体の姿勢を表示画面において正常通りに観賞することができるデジタル映像表示システムを実現する。【解決手段】本発明に係るデジタル映像表示システム１００は、筐体、レンズ及び回転角度検出手段を備えるデジタルカメラ１と、表示画面と表示画面支持手段を備える表示装置３とを備える。回転角度検出手段は、撮影時における筐体の水平方向に対する傾き角度α、βを検出して、表示画面が撮影された映像データを表示するとき、表示画面支持手段は、表示画面を水平状態から前記傾き角度α、βだけ回転させた位置に傾動して支持する。これにより、水平でない状態で撮影された映像をデジタルカメラの筐体を回転させていない水平状態で撮影した場合と同様に観賞することができる。【選択図】図１
2010068459.tif 000002
【特許請求の範囲】
【請求項１】
デジタルカメラ及び表示装置を備え、前記デジタルカメラで撮影した映像の映像データを前記表示装置の表示画面に表示するデジタル映像表示システムにおいて、
前記デジタルカメラは、筐体、レンズ及び回転角度検出手段を備え、
前記レンズの光軸方向が水平方向にあるときの該光軸方向をＸ軸とし、前記Ｘ軸と直交する水平方向をＹ軸とし、
前記レンズの光軸方向が前記Ｘ軸に一致している水平状態における筐体と比較して、前方から見た撮影時における筐体の、前記Ｘ軸を中心とする右回りの回転角度を角度αとし、
前記水平状態における筐体と比較して、前方に向かって筐体の左方向から見た撮影時における筐体の、前記Ｙ軸を中心とする左回りの回転角度を角度βとする場合、
前記回転角度検出手段は、前記角度αと角度βとの中の少なくともいずれかの角度を検出し、
前記表示装置は、前記表示画面を傾動可能に支持する表示画面支持手段を備え、
前記表示画面に直交する方向が水平方向にあるときの該水平方向をｘ軸とし、前記ｘ軸と直交する水平方向をｙ軸とし、
該表示画面と直交する方向が前記ｘ軸と一致し、かつ該表示画面の横枠が水平な状態を初期支持状態とする場合、
前記表示画面が前記映像データを表示するとき、前記表示画面支持手段は、前記表示画面の前方から見て前記ｘ軸を中心に左回りに角度α、該表示画面の前方に向かって右方向から見て前記ｙ軸を中心に左回りに角度βだけ、前記表示画面を前記初期支持状態から回転させた位置に支持することを特徴とするデジタル映像表示システム。
【請求項２】
前記回転角度検出手段は、前記角度αと角度βとの中の少なくともいずれかの角度を検出する傾きセンサであることを特徴とする請求項１に記載のデジタル映像表示システム。
【請求項３】
前記表示画面支持手段は、支持軸と、可動接合部と、回動制御手段とを有し、
前記支持軸は、前記可動接合部を介して前記表示画面の裏面に取り付けられ、
前記回動制御手段は、前記可動接合部を回動させることにより、前記表示画面を傾動させることを特徴とする請求項１または２に記載のデジタル映像表示システム。
【請求項４】
筐体、レンズ及び回転角度検出手段を備えるデジタルカメラであって、
前記レンズの光軸方向が水平方向にあるときの該光軸方向をＸ軸とし、前記Ｘ軸と直交する水平方向をＹ軸とし、
前記レンズの光軸方向が前記Ｘ軸に一致している水平状態における筐体と比較して、前方から見た撮影時における筐体の、前記Ｘ軸を中心とする右回りの回転角度を角度αとし、
前記水平状態における筐体と比較して、前方に向かって筐体の左方向から見た撮影時における筐体の、前記Ｙ軸を中心とする左回りの回転角度を角度βとする場合、
前記回転角度検出手段は、前記角度αと角度βとの中の少なくともいずれかの角度を検出することを特徴とするデジタルカメラ。
【請求項５】
請求項４に記載のデジタルカメラで撮影した映像の映像データを表示画面に表示する表示装置であって、
前記表示画面を傾動可能に支持する表示画面支持手段を備え、
前記表示画面に直交する方向が水平方向にあるときの該水平方向をｘ軸とし、前記ｘ軸と直交する水平方向をｙ軸とし、
該表示画面と直交する方向が前記ｘ軸と一致し、かつ該表示画面の横枠が水平な状態を初期支持状態とする場合、
前記表示画面が前記映像データを表示するとき、前記表示画面支持手段は、前記表示画面の前方から見て前記ｘ軸を中心に左回りに角度α、該表示画面の前方に向かって右方向から見て前記ｙ軸を中心に左回りに角度βだけ、前記表示画面を前記初期支持状態から回転させた位置に支持することを特徴とする表示装置。
【発明の詳細な説明】
【技術分野】
【０００１】
本発明は、デジタル映像表示システムに関し、特に、センサなどの回転角度検出手段を使用して、水平でない状態で撮影された映像の鑑賞に適したデジタル映像表示システムに関する。
【背景技術】
【０００２】
従来から、デジタルカメラによって撮影された映像をデジタル信号に変換して記憶装置に保存し、使用者がソフトウェアなどを活用してコンピュータまたはテレビなどのモニタとデジタルカメラとを接続し、デジタルカメラで撮影された映像を観賞し、かつ編集することができるようにしたシステムが広く使われている。
【０００３】
ここで、デジタルカメラを水平に保って映像を撮影すると、保存された映像フレームの映像は、縦立状態になる。また、デジタルカメラを垂直に保って映像を撮影すると、保存された映像フレームの映像は横臥した状態になる。その結果、表示装置によりこの映像を観賞するとき、映像フレームの映像は撮影時の映像角度に応じて縦立または横臥の状態で表示画面に表示され、鑑賞するのに適していない。
【０００４】
これに対し、たとえば特許文献１では、デジタルカメラの映像撮影時にデジタルカメラの傾き角度を検知し、検知された角度に基づいて撮影された映像の映像フレームを回転し再生時において被写体の上下方向が揃う保存フォーマットに変換し、撮影時のデジタルカメラの回転角度に関わらず、映像の方向を揃えて保存するデジタルカメラの映像保存方法が開示されている。
【０００５】
特許文献１の方法によると、撮影された映像の映像フレームを回転し再生時において被写体の上下方向が揃うようにフォーマットを変換して保存できる。
【０００６】
また、特許文献２には、動画像を構成する各フレーム画像の撮影時に、デジタルカメラの傾斜状態を検出し、検出された傾斜状態を示す縦横フラグを動画像の各フレーム画像に対応付けて記録し、動画再生時に、各フレーム画像に対応する縦横フラグに基づいて各フレーム画像を回転させることにより各フレーム画像の水平方向位置を補正して再生する技術が開示されている。これにより、動画撮影時の撮影角度に関係なく、常に一連の動画像の水平方向位置を実際の水平方向に合わせて見やすく再生することができる。
【特許文献１】特開２００１−１１９６６５公報（平成１３年４月２７日公開）
【特許文献２】特開２００６−２１１３７８号公報（平成１８年８月１０日公開）
【発明の開示】
【発明が解決しようとする課題】
【０００７】
しかしながら、特許文献１および２の方法では、通常の場合は撮影される映像フレームは長方形であるため、例えばデータを９０°回転して保存させたときには映像のサイズの縦横比が揃わなくなったり、全画面表示など表示の仕方によっては保存フォーマットと表示画面との縦横比が一致しないため、保存フォーマットのまま表示すると表示画面に空白が発生したり、その空白をなくすために映像の拡大あるいは切り取りしなければならなかった。このため、元の映像とは異なったものになってしまうという問題があった。
【０００８】
本発明は、上記の問題点に鑑みてなされたものであり、その目的は、撮影者がデジタルカメラの筐体を任意の角度回転させた状態で撮影した場合でも、映像データのフォーマットを変更することなく、表示画面においてデジタルカメラの筐体を回転させていない水平状態で撮影した場合と同様に観賞することができるデジタル映像表示システムを提供することにある。
【課題を解決するための手段】
【０００９】
本発明に係るデジタル映像表示システムは、上記課題を解決するために、デジタルカメラ及び表示装置を備え、前記デジタルカメラで撮影した映像の映像データを前記表示装置の表示画面に表示するデジタル映像表示システムにおいて、前記デジタルカメラは、筐体、レンズ及び回転角度検出手段を備え、前記レンズの光軸方向が水平方向にあるときの該光軸方向をＸ軸とし、前記Ｘ軸と直交する水平方向をＹ軸とし、前記レンズの光軸方向が前記Ｘ軸に一致している水平状態における筐体と比較して、前方から見た撮影時における筐体の、前記Ｘ軸を中心とする右回りの回転角度を角度αとし、前記水平状態における筐体と比較して、前方に向かって筐体の左方向から見た撮影時における筐体の、前記Ｙ軸を中心とする左回りの回転角度を角度βとする場合、前記回転角度検出手段は、前記角度αと角度βとの中の少なくともいずれかの角度を検出し、前記表示装置は、前記表示画面を傾動可能に支持する表示画面支持手段を備え、前記表示画面に直交する方向が水平方向にあるときの該水平方向をｘ軸とし、前記ｘ軸と直交する水平方向をｙ軸とし、該表示画面と直交する方向が前記ｘ軸と一致し、かつ該表示画面の横枠が水平な状態を初期支持状態とする場合、前記表示画面が前記映像データを表示するとき、前記表示画面支持手段は、前記表示画面の前方から見て前記ｘ軸を中心に左回りに角度α、該表示画面の前方に向かって右方向から見て前記ｙ軸を中心に左回りに角度βだけ、前記表示画面を前記初期支持状態から回転させた位置に支持することを特徴としている。
【００１０】
上記の構成によれば、デジタルカメラがＸ軸を中心として前方から見て右回りに角度α、Ｙ軸を中心として筐体左方向から見て左回りに角度βだけ回転した状態で撮影した場合、表示装置の表示画面指示手段は、表示画面前方から見てｘ軸を中心に左回りに角度α、表示画面の前方に向かって右方向から見てｙ軸を中心に左回りに角度βだけ表示画面を回転させた位置に支持する。これにより、表示画面にフォーマット変換していない映像を表示しても、初期支持状態の表示画面の正面から見ると、当該映像は、デジタルカメラが水平状態で撮影した場合と同じ状態となる。このように、撮影者がデジタルカメラの筐体を任意の角度回転させた状態で撮影した場合でも、映像データのフォーマットを変更することなく、表示画面においてデジタルカメラの筐体を回転させていない水平状態で撮影した場合と同様に観賞することができるデジタル映像表示システムを提供できるという効果を奏する。また、映像データそのものを壊すことなく表示の仕方を変えるだけで様々な表現ができるので、エンターテイメント性を付け加えることができる。
【００１１】
本発明に係るデジタル映像表示システムでは、上記の構成に加えて、前記回転角度検出手段は、前記角度αと角度βとの中の少なくともいずれかの角度を検出する傾きセンサであることが好ましい。
【００１２】
該構成により、傾きセンサという簡単な構造で回転角度検出手段を実現することができるので、コストが省ける。
【００１３】
本発明に係るデジタル映像表示システムでは、上記の構成に加えて、前記表示画面支持手段は、支持軸と、可動接合部と、回動制御手段とを有し、前記支持軸は、前記可動接合部を介して前記表示画面の裏面に取り付けられ、前記回動制御手段は、前記可動接合部を回動させることにより、前記表示画面を傾動させることが好ましい。
【００１４】
該構成により、簡単な構造で表示画面を所定の位置まで確実に回転させて支持することができる。
【００１５】
また、本発明に係るデジタルカメラは、筐体、レンズ及び回転角度検出手段を備えるデジタルカメラであって、前記レンズの光軸方向が水平方向にあるときの該光軸方向をＸ軸とし、前記Ｘ軸と直交する水平方向をＹ軸とし、前記レンズの光軸方向が前記Ｘ軸に一致している水平状態における筐体と比較して、前方から見た撮影時における筐体の、前記Ｘ軸を中心とする右回りの回転角度を角度αとし、前記水平状態における筐体と比較して、前方に向かって筐体の左方向から見た撮影時における筐体の、前記Ｙ軸を中心とする左回りの回転角度を角度βとする場合、前記回転角度検出手段は、前記角度αと角度βとの中の少なくともいずれかの角度を検出することを特徴としている。
【００１６】
また、本発明に係る表示装置は、上記デジタルカメラで撮影した映像の映像データを表示画面に表示する表示装置であって、前記表示画面を傾動可能に支持する表示画面支持手段を備え、前記表示画面に直交する方向が水平方向にあるときの該水平方向をｘ軸とし、前記ｘ軸と直交する水平方向をｙ軸とし、該表示画面と直交する方向が前記ｘ軸と一致し、かつ該表示画面の横枠が水平な状態を初期支持状態とする場合、前記表示画面が前記映像データを表示するとき、前記表示画面支持手段は、前記表示画面の前方から見て前記ｘ軸を中心に左回りに角度α、該表示画面の前方に向かって右方向から見て前記ｙ軸を中心に左回りに角度βだけ、前記表示画面を前記初期支持状態から回転させた位置に支持することを特徴とする。
【００１７】
上記の構成により、撮影者がデジタルカメラの筐体を任意の角度に回転させた状態で撮影した場合でも、表示画面においてその被写体の姿勢を正常通りに観賞することができ、デジタルカメラによって撮影された映像をフォーマット変換することなく、表示画面でそのまま表示できるので、フォーマット変換するコストが省け、また、映像データそのものを壊すことなく表示の仕方を変えるだけで様々な表現ができるので、エンターテイメント性を付け加えることができる。
【発明の効果】
【００１８】
本発明に係るデジタル映像表示システムにおいて、前記デジタルカメラは、筐体、レンズ及び回転角度検出手段を備え、前記レンズの光軸方向が水平方向にあるときの該光軸方向をＸ軸とし、前記Ｘ軸と直交する水平方向をＹ軸とし、前記レンズの光軸方向が前記Ｘ軸に一致している水平状態における筐体と比較して、前方から見た撮影時における筐体の、前記Ｘ軸を中心とする右回りの回転角度を角度αとし、前記水平状態における筐体と比較して、前方に向かって筐体の左方向から見た撮影時における筐体の、前記Ｙ軸を中心とする左回りの回転角度を角度βとする場合、前記回転角度検出手段は、前記角度αと角度βとの中の少なくともいずれかの角度を検出し、前記表示装置は、前記表示画面を傾動可能に支持する表示画面支持手段を備え、前記表示画面に直交する方向が水平方向にあるときの該水平方向をｘ軸とし、前記ｘ軸と直交する水平方向をｙ軸とし、該表示画面と直交する方向が前記ｘ軸と一致し、かつ該表示画面の横枠が水平な状態を初期支持状態とする場合、前記表示画面が前記映像データを表示するとき、前記表示画面支持手段は、前記表示画面の前方から見て前記ｘ軸を中心に左回りに角度α、該表示画面の前方に向かって右方向から見て前記ｙ軸を中心に左回りに角度βだけ、前記表示画面を前記初期支持状態から回転させた位置に支持する。
【００１９】
上記の構成によれば、撮影者がデジタルカメラの筐体を任意の角度回転させた状態で撮影した場合でも、映像データのフォーマットを変更することなく、表示画面においてデジタルカメラの筐体を回転させていない水平状態で撮影した場合と同様に観賞することができるデジタル映像表示システムを提供できるという効果を奏する。
【００２０】
また、本発明に係るデジタルカメラは、前記レンズの光軸方向が水平方向にあるときの該光軸方向をＸ軸とし、前記Ｘ軸と直交する水平方向をＹ軸とし、前記レンズの光軸方向が前記Ｘ軸に一致している水平状態における筐体と比較して、前方から見た撮影時における筐体の、前記Ｘ軸を中心とする右回りの回転角度を角度αとし、前記水平状態における筐体と比較して、前方に向かって筐体の左方向から見た撮影時における筐体の、前記Ｙ軸を中心とする左回りの回転角度を角度βとする場合、前記回転角度検出手段は、前記角度αと角度βとの中の少なくともいずれかの角度を検出する。
【００２１】
また、本発明の表示装置は、前記表示画面を傾動可能に支持する表示画面支持手段を備え、前記表示画面に直交する方向が水平方向にあるときの該水平方向をｘ軸とし、前記ｘ軸と直交する水平方向をｙ軸とし、該表示画面と直交する方向が前記ｘ軸と一致し、かつ該表示画面の横枠が水平な状態を初期支持状態とする場合、前記表示画面が前記映像データを表示するとき、前記表示画面支持手段は、前記表示画面の前方から見て前記ｘ軸を中心に左回りに角度α、該表示画面の前方に向かって右方向から見て前記ｙ軸を中心に左回りに角度βだけ、前記表示画面を前記初期支持状態から回転させた位置に支持する。
【００２２】
上記の構成により、撮影者がデジタルカメラの筐体を任意の角度に回転させた状態で撮影した場合でも、表示画面においてその被写体の姿勢を正常通りに観賞することができ、デジタルカメラによって撮影された映像をフォーマット変換することなく、表示画面でそのまま表示できるので、フォーマット変換するコストが省け、また、映像データそのものを壊すことなく表示の仕方を変えるだけで様々な表現ができるので、エンターテイメント性を付け加えることができる。
【発明を実施するための最良の形態】
【００２３】
以下、本発明の実施形態について図面を参照しながら説明する。
【００２４】
図１は、本発明にかかるデジタル映像表示システム１００のブロック図である。図１に示すように、本発明のデジタル映像表示システム１００は、デジタルカメラ１、記憶装置２及び表示装置３を備える。デジタルカメラ１により撮影された映像の映像データは、記憶装置２に記憶され、記憶装置２に記憶された映像データは表示装置３に読み込まれて、表示装置３は前記映像データに応じた表示を行う。
【００２５】
図２は、本発明のデジタルカメラ１の概略斜視図である。図２に示すように、デジタルカメラ１は、筐体１１、レンズ１２、３軸角度センサ（回転角度検出手段）１３、データ処理手段１４及びシャッター１５を備える。なお、３軸角度センサ１３及びデータ処理手段１４は、筐体１１に内臓されている。
【００２６】
ここで、前記レンズの光軸方向が水平方向にあるときの該光軸方向をＸ軸とし、前記Ｘ軸と直交する水平方向をＹ軸とし、Ｘ軸とＹ軸に直交する鉛直方向をＺ軸とする。また、レンズ１２の光軸方向がＸ軸に一致している水平状態における筐体１１と比較して、前方から見た撮影時における筐体１１の、Ｘ軸を中心とする右回りの回転角度を角度αとする。さらに、前記水平状態における筐体１１と比較して、前方に向かって筐体１１の左方向から見た撮影時における筐体１１の、Ｙ軸を中心とする左回りの回転角度を角度βとする。
【００２７】
このとき、３軸角度センサ１３は、角度α及び角度βを検出する。なお、前記水平状態は、より具体的には、筐体１１が直方体である場合、レンズ１２の光軸方向がＸ軸に一致しており、かつ筐体１１の底面が水平状態である状態を意味する。なお、３軸角度センサ１３は、前記角度α、βの中のいずれかの角度を検出しても良い。この場合、前記３軸角度センサ１３の代わりに、２軸角度センサまたは１軸角度センサを設けても良い。たとえば、Ｘ軸回りの角度α及びＹ軸回りの角度βを検出する場合、前記３軸角度センサ１３の代わりに傾きセンサを使用することができる。
【００２８】
本実施形態において、３軸角度センサ１３は、Ｘ軸回りの角度α及びＹ軸回りの角度βを検出する。図３は、撮影時のデジタルカメラ１の姿勢をレンズ前方から見た図であり、筐体１１が水平状態からＸ軸を中心とする右回りに角度αだけ回転している状態を示している。
【００２９】
また、図４は、撮影時のデジタルカメラの姿勢を前方に向かって筐体１１の左方向から見た図であり、筐体１１が水平状態からＹ軸を中心とする左回りに角度βだけ傾斜している状態を示している。上述のとおり、これらの２つの角度αおよびβは、本発明のデジタルカメラ１に内蔵されている３軸角度センサ１３によって検知され測定される。
【００３０】
図３と図４に示すデジタルカメラ１は、撮影される物体の少し上方から右に傾いたカメラ撮影姿勢で、物体を撮影する状況に対応する。このため、例えば、植木鉢に植えられた直立した植物を撮影する場合、図５に示すように、撮影によって得られる映像データでは、植物は傾いた状態となる。
【００３１】
また、前記データ処理手段１４は、前記デジタルカメラ１で被写体を撮影したときに前記３軸角度センサ１３で検出された角度データを、撮影された映像の映像データに付加して、前記記憶装置２に記憶させる。
【００３２】
前記記憶装置２としては、映像データを保存できる汎用のものが適用でき、例えばＳＤカードなどの前記デジタルカメラ１と着脱できる装置であることが好ましい。
【００３３】
図６は、デジタルカメラ１の３軸角度センサ１３及びデータ処理手段１４並びに記憶装置２の構成例を示すブロック図である。図６に示すように、データ処理手段１４は、Ｘ軸回り回転角度検出回路１４１と、Ｙ軸回り回転角度検出回路１４２と、情報付加回路１４３と、制御回路１４４とを備えている。Ｘ軸回り回転角度検出回路１４１およびＹ軸回り回転角度検出回路１４２には、３軸角度センサ１３からの検出角度出力が入力される。Ｘ軸回り回転角度検出回路１４１は、前記検出角度出力に基づいて角度αを検出し、角度αを示す角度データａを情報付加回路１４３に出力する。また、Ｙ軸回り回転角度検出回路１４２は、前記検出角度出力に基づいて角度βを検出し、角度βを示す角度データｂを情報付加回路１４３に出力する。
【００３４】
情報付加回路１４３には、角度データａおよび角度データｂとともに、映像データが入力され、情報付加回路１４３は、角度データａと角度データｂとを映像データに付加して、複合映像データを生成する。複合映像データは、制御回路１４４によって記憶装置２に記憶される。
【００３５】
このように、データ処理手段１４の処理により、撮影したときの映像データに、デジタルカメラ１のＸ、Ｙ軸における角度α、βが付加され、かつ映像データの映像領域を壊すことのない複合映像データを作成し保存することができるようになる。
【００３６】
次いで、本発明の表示装置３を、図７〜図１１を参照しながら説明する。
【００３７】
図７は、本発明の表示装置３を示す概略斜視図である。図７に示すように、表示装置３は、表示画面３１と、表示画面３１を支える支持軸３２と、支持軸３２を支持する台座３３とを備える。ここで、表示画面３１に直交する方向が水平方向にあるときの該水平方向をｘ軸とし、ｘ軸と直交する水平方向をｙ軸とし、ｘ軸とｙ軸に直交する鉛直方向をｚ軸とする。図７では、表示画面３１は、表示画面３１と直行する方向がｘ軸と一致し、かつ表示画面３１の横枠が水平な状態である。以下の説明では、この状態を初期支持状態とする。
【００３８】
図８は、前方に向かって右方向から見た表示装置３の側面図である。図８に示すように、前記表示画面３１と前記支持軸３２との接合箇所に可動接合部３４が設けられている。また、表示装置３には、前記可動接合部３４を回動する回動制御手段３５（図８では図示せず）が内蔵されている。可動接合部３４は、表示画面３１をｘ軸回りおよびｙ軸回りに回転させる回転機構を有している。なお、可動接合部３４は、これに加え、ｚ軸回りに回転可能であってもよい。図８は、デジタルカメラ１によって撮影された映像を表示画面３１に表示する場合の、表示画面３１の姿勢を示している。具体的には、表示画面３１は、表示画面３１の前方に向かって右方向から見てｙ軸を中心に左回り（以下「縦回り」とする）に角度βだけ、前記初期支持状態から回転している。
【００３９】
図９は、同様にデジタルカメラ１によって撮影された映像を表示画面３１に表示する場合の、表示画面３１の姿勢を表示画面３１の前方から見た正面図である。具体的には、表示画面３１は、表示画面の前方から見てｘ軸を中心に左回り（以下「横回り」とする）に角度αだけ、前記初期支持状態から回転している。
【００４０】
図１０は、図９に示す傾いた表示画面３１に、デジタルカメラ１によって撮影された映像が実際に表示された状態を示す図である。このように表示画面３１を所定の角度で傾いた状態に支持することで、ユーザは、植木鉢に植えられた植物が直立している状態、すなわち、Ｘ軸回りおよびＹ軸回りに回転していない水平状態のデジタルカメラ１によって撮影された植木鉢と同一の状態で観賞することができる。また、表示画面３１に表示される映像は、デジタルカメラ１によって撮影された映像に対してフォーマット変換されることなく、そのまま表示されている。したがって、フォーマット変換するコストを省くことができる。また、映像データそのものを壊すことなく表示の仕方を変えるだけで様々な表現ができるので、エンターテイメント性を付け加えることができる。
【００４１】
続いて、前記可動接合部３４を回動する回動制御手段３５の具体的な構成について説明する。
【００４２】
図１１は、本発明の表示装置３の表示画面３１、可動接合部３４、回動制御手段３５および映像処理回路３６を示すブロック図である。図１１に示すように、回動制御手段３５は、角度情報分離回路３５１、筐体位置計算回路３５２、制御回路３５３及び筐体位置駆動回路３５４を備える。
【００４３】
記憶装置２には、上述のように、撮影時のデジタルカメラ１のＸ方向及びＹ方向に対する角度αおよびβを示す角度データａおよびｂが映像データに付加された複合映像データが保存されている。記憶装置２が表示装置３に装着されると、複合映像データは、前記角度情報分離回路３５１に送られる。角度情報分離回路３５１は、複合映像データを映像データと角度データａ・ｂとに分離する。映像データは通常の映像データと同じように映像処理回路３５５に送られ、角度データａ・ｂは筐体位置計算回路３５２に送られる。このとき、制御回路３５３は表示する映像に装飾などの様々な処理を施すことができる。
【００４４】
また、筐体位置計算回路３５２には、可動接合部３４の現在の状態を示す状態データが可動接合部３４から入力される。例えば、現時点で表示画面３１が横回りに角度γ、縦回りに角度δだけ前記初期支持状態から回転した状態である場合、角度γおよびδを示す状態データが筐体位置計算回路３５２に入力される。
【００４５】
筐体位置計算回路３５２は、前記状態データおよび角度データａ・ｂに基づいて、表示画面３１を図８および図９に示す状態にするために必要な横回りの角度εおよび縦回りの角度ζを計算する。これは、現時点の表示画面は前の映像データを表示しており水平方向を向いているとは限らないため、現時点の画面位置を考慮しつつ動かす量を計算するためである。
【００４６】
具体的には、角度εおよび角度ζは、以下の式（１）および（２）によって算出される。
【００４７】
ε＝α−γ      ・・・式（１）
ζ＝β−δ      ・・・式（２）
そして、筐体位置計算回路３５２より計算された角度ε・ζを示す角度データは、筐体位置駆動回路３５４に入力され、当該角度データに基づいて、筐体位置駆動回路３５４が前記可動接合部３４を駆動して、表示画面３１を必要な角度だけ動かす。これにより、表示画面３１は、図８および図９に示す状態に支持される。これにより、Ｘ軸回りおよびＹ軸回りに回転していない水平状態のデジタルカメラ１によって撮影した場合と同様の映像を鑑賞することができるとともに、エンターテイメント性の高い表示を実現することなども可能である。
【００４８】
なお、前記筐体位置計算回路３５２も制御回路３５３により様々な処理を加えることができる。例えば、映像上の鉛直線とはわざと異なる方向になるように表示画面３１を回転させることができる。これによって、よりエンターテイメント性の高い表示を実現することができる。
【００４９】
本実施形態では、複合映像データを記憶装置２によってデジタルカメラ１から表示装置３に転送したが、これに限定されない。例えば、デジタルカメラ１をケーブル等によって表示装置に接続することにより、複合映像データの転送を行ってもよい。
【００５０】
また、本実施形態では、３軸角度センサまたは傾きセンサによってデジタルカメラ１の回転角度を測定したが、これに限定されない。例えば、デジタルカメラ１を三脚等で支持して撮影する場合、デジタルカメラ１の支持部分の状態を検知することにより、デジタルカメラ１の回転角度を測定してもよい。また、本実施形態では、表示画面３１を支持軸３２および台座３３によって支持したが、これに限定されない。例えば、表示画面３１の四隅にワイヤ等を接続することによって表示画面３１を吊るし、当該ワイヤ等によって表示画面３１を傾動可能に支持してもよい。
【００５１】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００５２】
本発明は、デジタルカメラで撮影した映像をモニタなどで正確に表示するデジタル映像表示システムに適用できる。
【図面の簡単な説明】
【００５３】
【図１】本発明の実施形態によるデジタル映像表示システムのブロック図である。
【図２】上記デジタル映像表示システムのデジタルカメラの概略斜視図である。
【図３】上記デジタルカメラの撮影時の姿勢をレンズ前方から見た図である。
【図４】上記デジタルカメラの撮影時の姿勢を、前方に向かって筐体の左方向から見た図である。
【図５】上記デジタルカメラが傾いた状態で撮影された映像を示す図である。
【図６】上記デジタルカメラの３軸角度センサ及びデータ処理手段並びに記憶装置の構成例を示すブロック図である。
【図７】上記デジタル映像表示システムの表示装置の概略斜視図である。
【図８】前方に向かって右方向から見た表示装置の側面図である。
【図９】前方から見た表示装置の正面図である。
【図１０】図５に示す映像が、図９に示す傾いた表示画面に表示される様子を示した図である。
【図１１】本発明の実施形態による表示装置の構成例を示すブロック図である。
【符号の説明】
【００５４】
１００  デジタル映像表示システム
１      デジタルカメラ
２      記憶装置
３      表示装置
１１    筐体
１２    レンズ
１３    ３軸角度センサ（角度検出手段）
１４    データ処理手段
１５    シャッター
３１    表示画面
３２    支持軸（表示画面支持手段、支持手段）
３３    台座
３４    可動接合部（表示画面支持手段）
３５    回動制御手段（表示画面支持手段）
【図１】
2010068459.tif 000003
【図２】
2010068459.tif 000004
【図３】
2010068459.tif 000005
【図４】
2010068459.tif 000006
【図５】
2010068459.tif 000007
【図６】
2010068459.tif 000008
【図７】
2010068459.tif 000009
【図８】
2010068459.tif 000010
【図９】
2010068459.tif 000011
【図１０】
2010068459.tif 000012
【図１１】
2010068459.tif 000013